(57)【要約】  送信モードから受信モードへの切換え時間が早い高周波スイッチを得る。  高周波スイッチ（１１）は、スイッチング素子である第１ダイオード（Ｄ１）、第２ダイオード（Ｄ２）、インダクタ（ＳＬ１），（ＳＬ２）、コンデンサ（Ｃ５），（Ｃ６）及び抵抗（Ｒ），（ＲＡ）を接続して構成されている。第１ダイオード（Ｄ１）と第２ダイオード（Ｄ２）との間に抵抗（ＲＡ）の一端が接続され、かつ、該抵抗（ＲＡ）の他端がグランドに接続されている。これにて、ダイオード（Ｄ１），（Ｄ２）はオン状態で蓄積された電荷が抵抗を介してグランドに直ちに放電され、制御電源端子（Ｖｃ）をオンからオフに切り換える送信モードから受信モードへの切換え時間が速くなる。【特許請求の範囲】
【請求項１】
アンテナ端子と送信側入力端子との間の送信側信号経路にシリーズ接続された第１ダイオードと、アンテナ端子と受信側出力端子との間の受信側信号経路にシャント接続された第２ダイオードとを有し、前記送信側信号経路と前記受信側信号経路とを選択的に切り換えるスイッチを備えた高周波スイッチにおいて、
前記第１ダイオードと前記第２ダイオードとの間に抵抗の一端が接続され、かつ、該抵抗の他端がグランドに接続されていること、
を特徴とする高周波スイッチ。
【請求項２】
アンテナ端子の後段に、第１通信系の信号経路と第２通信系の信号経路とを分岐するダイプレクサを備え、さらに、
前記第１通信系の信号経路における、前記アンテナ端子と第１送信側入力端子との間の信号経路にシリーズ接続された第１ダイオードと、前記アンテナ端子と第１受信側出力端子との間の信号経路にシャント接続された第２ダイオードとを有し、前記アンテナ端子と前記第１送信側入力端子との間の信号経路と、前記アンテナ端子と前記第１受信側出力端子との間の信号経路とを選択的に切り換える第１スイッチと、
前記第２通信系の信号経路における、前記アンテナ端子と第２送信側入力端子との間の信号経路にシリーズ接続された第３ダイオードと、前記アンテナ端子と第２受信側出力端子との間の信号経路にシャント接続された第４ダイオードとを有し、前記アンテナ端子と前記第２送信側入力端子との間の信号経路と、前記アンテナ端子と前記第２受信側出力端子との間の信号経路とを選択的に切り換える第２スイッチと、を備えた高周波スイッチにおいて、
前記第１ダイオードと前記第２ダイオードとの間に第１抵抗の一端が接続され、かつ、該第１抵抗の他端がグランドに接続され、
前記第３ダイオードと前記第４ダイオードとの間に第２抵抗の一端が接続され、かつ、該第２抵抗の他端がグランドに接続されていること、
を特徴とする高周波スイッチ。
【請求項３】
アンテナ端子の後段に、第１通信系の信号経路と、第２通信系及び第３通信系の信号経路とを分岐するダイプレクサを備え、さらに、
前記第１通信系の信号経路における、前記アンテナ端子と第１送信側入力端子との間の信号経路にシリーズ接続された第１ダイオードと、前記アンテナ端子と第１受信側出力端子との間の信号経路にシャント接続された第２ダイオードとを有し、前記アンテナ端子と前記第１送信側入力端子との間の信号経路と、前記アンテナ端子と前記第１受信側出力端子との間の信号経路とを選択的に切り換える第１スイッチと、
前記第２通信系及び第３通信系の信号経路における、前記アンテナ端子と前記第２通信系及び第３通信系の共通の端子である第２送信側入力端子との間の信号経路にシリーズ接続された第３ダイオードと、前記アンテナ端子と第２・第３受信側出力端子との間の信号経路にシャント接続された第４ダイオードとを有し、前記アンテナ端子と前記第２送信側入力端子との間の信号経路と、前記アンテナ端子と前記第２・第３受信側出力端子との間の信号経路とを選択的に切り換える第２スイッチと、
前記第２通信系及び第３通信系の信号経路における、前記第２スイッチと前記第２受信側出力端子との間に配置された信号経路と、前記第２スイッチと前記第３受信側出力端子との間に配置された信号経路とを分岐するデュプレクサと、を備えた高周波スイッチにおいて、
前記第１ダイオードと前記第２ダイオードとの間に第１抵抗の一端が接続され、かつ、該第１抵抗の他端がグランドに接続され、
前記第３ダイオードと前記第４ダイオードとの間に第２抵抗の一端が接続され、かつ、該第２抵抗の他端がグランドに接続されていること、
を特徴とする高周波スイッチ。
【請求項４】
前記受信側出力端子とシャント接続されたダイオードの他端が制御電源に接続されているとともに、コンデンサを介してグランドに接続されていることを特徴とする請求の範囲第１項ないし第３項のいずれかに記載の高周波スイッチ。
【請求項５】
前記コンデンサと前記シャント側ダイオードのオン時のインダクタンス成分とでインピーダンスが０の直列共振点が形成されることを特徴とする請求の範囲第４項に記載の高周波スイッチ。
【請求項６】
前記制御電源が単一の電源であることを特徴とする請求の範囲第４項又は第５項に記載の高周波スイッチ。
【発明の詳細な説明】
【技術分野】
【０００１】
本発明は、高周波スイッチ、特に、複数の異なる移動体通信システムに利用可能な高周波スイッチに関する。
【背景技術】
【０００２】
従来、この種の高周波スイッチとして、特許文献１には、図５に示すように、アンテナ端子ＡＮＴと送信側入力端子Ｔｘとの間の信号経路にシリーズ接続された第１ダイオードＤ１１と、アンテナ端子ＡＮＴと受信側出力端子Ｒｘとの間の信号経路にシャント接続された第２ダイオードＤ１２とを有し、アンテナ端子ＡＮＴと送信側入力端子Ｔｘとの間の信号経路と、アンテナ端子ＡＮＴと受信側出力端子Ｒｘとの間の信号経路とを選択的に切り換えるようにしたものが記載されている。【０００３】
ところで、ダイオードは同じ製造ロットから任意に選んだものであっても電荷蓄積量に±１０％程度のばらつきを生じている。それに起因して、前記高周波スイッチでは、送信モードから受信モードへの切換え時間が１μ秒以上と遅くなってしまう問題点を有していた。【０００４】
即ち、送信モードの状態では、第１及び第２ダイオードＤ１１，Ｄ１２がオン状態であり、第１ダイオードＤ１１に電荷Ｑ１が蓄積され、第２ダイオードＤ１２に電荷Ｑ２が蓄積される。次に、送信モードから受信モードへ切り換えるために制御電源端子Ｖｃを０Ｖにすると、第１及び第２ダイオードＤ１１，Ｄ１２は互いに蓄積電荷を放電し合う。このとき、Ｑ１＞Ｑ２であると、第２ダイオードＤ１２は速くオフ状態になるが、第１ダイオードＤ１１は蓄積した電荷Ｑ１が０になるまで時間がかかり、第２ダイオードＤ１２よりかなり遅くオフ状態になる。それゆえ、前記高周波スイッチでは、送信モードから受信モードへの切換え時間が遅く、大電力の送信信号が受信側信号経路に回り込んでしまうという問題点を有していた。
【特許文献１】特開２０００−２２３９０１号公報
【発明の開示】
【発明が解決しようとする課題】
【０００５】
そこで、本発明の第１の目的は、送信モードから受信モードへの切換え時間が速い高周波スイッチを提供することにある。
本発明の第２の目的は、前記第１の目的を達成するとともに、電源のオン／オフの際に送信信号及び受信信号の損失を抑えることのできる高周波スイッチを提供することにある。
【課題を解決するための手段】
【０００６】
前記目的を達成するため、本発明に係る高周波スイッチは、
アンテナ端子と送信側入力端子との間の送信側信号経路にシリーズ接続された第１ダイオードと、アンテナ端子と受信側出力端子との間の受信側信号経路にシャント接続された第２ダイオードとを有し、前記送信側信号経路と前記受信側信号経路とを選択的に切り換えるスイッチを備えた高周波スイッチにおいて、
前記第１ダイオードと前記第２ダイオードとの間に抵抗の一端が接続され、かつ、該抵抗の他端がグランドに接続されていることを特徴とする。【０００７】
本発明に係る高周波スイッチにおいて、シリーズ接続されている第１及び第２ダイオードはオン状態で蓄積された電荷が抵抗を介してグランドに直ちに放電される。従って、第１及び第２ダイオードの電荷蓄積量の差違に拘わらず、制御電源端子をオンからオフに切り換える送信モードから受信モードへの切換え時間が速くなる。【０００８】
本発明に係る高周波スイッチは、シングルバンド対応型、デュアルバンド対応型、トリプルバンド対応型及びクワッドバンド対応型のいずれにも適用することができる。【０００９】
本発明に係る高周波スイッチにおいては、受信側出力端子とシャント接続されたダイオードの他端が制御電源に接続されるとともに、コンデンサを介してグランドに接続されていることが好ましい。制御電源がオンされたとき、該コンデンサとシャント側ダイオードのオン時のインダクタンス成分とでインピーダンスが０の直列共振点が形成され、送信信号が受信側出力端子へ漏れることが低減される。また、制御電源がオフされたとき、該コンデンサとシャント側ダイオードのオフ時の容量成分とがシリーズ接続されるので、グランド側への容量成分が小さくなり、受信信号がグランドへ漏れることが低減される。即ち、送信信号及び受信信号の損失を抑えることができる。【００１０】
また、本発明に係る高周波スイッチにおいては、制御電源が単一の電源（プラス電源又はマイナス電源のいずれか一方の電源）であってもよい。単一の電源ではプラス／マイナスが逆転することはないので、切換え速度が速くなる。
【発明の効果】
【００１１】
本発明に係る高周波スイッチによれば、シリーズ接続された第１及び第２ダイオードの間にシャント接続された抵抗を介在させたため、制御電源端子をオフへ切り換えた際の電荷放電が速くなり、送信モードから受信モードへの切換え時間が速くなる。【００１２】
また、受信側出力端子とシャント接続されたダイオードの他端を制御電源に接続するとともに、コンデンサを介してグランドに接続することにより、送信信号及び受信信号の損失を抑えることができる。
【図面の簡単な説明】
【００１３】
【図１】本発明に係る高周波スイッチの第１実施例を説明するための等価回路図。
【図２】本発明に係る高周波スイッチの第２実施例を説明するための等価回路図。
【図３】本発明に係る高周波スイッチの第３実施例を説明するための等価回路図。
【図４】本発明に係る高周波スイッチの第４実施例を説明するための等価回路図。
【図５】従来の高周波スイッチを示すための等価回路図。
【発明を実施するための最良の形態】
【００１４】
以下、本発明に係る高周波スイッチの実施例について添付図面を参照して説明する。【００１５】
（第１実施例、図１参照）
第１実施例であるシングルバンド対応型の高周波スイッチは、図１の等価回路図に示すように、概略、高周波スイッチ１１と、ＬＣフィルタ１２と、コンデンサＣ，Ｃ２，Ｃ３とで構成されている。【００１６】
高周波スイッチ１１は、アンテナ端子ＡＮＴと送信側入力端子Ｔｘとの間の信号経路と、アンテナ端子ＡＮＴと受信側出力端子Ｒｘとの間の信号経路とを選択的に切り換えるためのものである。ＬＣフィルタ１２は、高周波スイッチ１１と送信側入力端子Ｔｘとの間に配置され、インダクタＬｔ１及びコンデンサを含んだローパスフィルタである。このローパスフィルタのコンデンサは、インダクタＬｔ１とパラレル接続されたコンデンサＣｃ１と、グランドに接続された二つの接地コンデンサ（シャントコンデンサ）Ｃｕ１，Ｃｕ２からなっている。【００１７】
高周波スイッチ１１は、スイッチング素子である第１ダイオードＤ１、第２ダイオードＤ２、インダクタＳＬ１，ＳＬ２、コンデンサＣ５，Ｃ６，Ｃ７及び抵抗Ｒ，ＲＡを接続して構成されている。第１ダイオードＤ１は、アンテナ端子ＡＮＴと送信側入力端子Ｔｘとの間の信号経路に、アノードがアンテナ端子ＡＮＴ側になるようにシリーズ接続されている。さらに、第１ダイオードＤ１のカソードとグランドとの間にはインダクタＳＬ１が接続されている。【００１８】
第２ダイオードＤ２は、アンテナ端子ＡＮＴと受信側出力端子Ｒｘとの間の信号経路にシャント接続され、アノードがコンデンサＣ５を介して接地されている。第２ダイオードＤ２とコンデンサＣ５との接続点に抵抗Ｒを介して制御電源端子Ｖｃが接続され、コンデンサＣ７が制御電源端子Ｖｃとグランドとの間に接続されている。さらに、第２ダイオードＤ２のカソードとアンテナ端子ＡＮＴとの間には、インダクタＳＬ２がシリーズ接続されているとともに、第２ダイオードＤ２のカソードとグランドとの間にはコンデンサＣ６が接続されている。また、第２ダイオードＤ２のカソードとグランドとの間には抵抗ＲＡが接続されている。【００１９】
次に、以上の構成からなる高周波スイッチの動作について説明する。まず、送信信号を送信する場合（送信モード）には、制御電源端子Ｖｃに、例えば２．５Ｖを印加して第１ダイオードＤ１及び第２ダイオードＤ２をオン状態にすることにより、送信側入力端子Ｔｘから入った送信信号がＬＣフィルタ１２、高周波スイッチ１１を通過し、アンテナ端子ＡＮＴから送信される。一方、インダクタＳＬ２は送信信号の周波数に対してλ／４線路長のストリップラインであるため、インピーダンスが無限大となり、アンテナ端子ＡＮＴと受信側出力端子Ｒｘとの間は信号が通過しない。さらに、ＬＣフィルタ１２では送信信号の高調波を減衰させている。【００２０】
逆に、受信信号を受信する場合（受信モード）には、制御電源端子Ｖｃに、例えば０Ｖを印加して第１ダイオードＤ１及び第２ダイオードＤ２をオフ状態にすることにより、第１ダイオードＤ１のオフ時の容量とインダクタＳＬ１とでバイパスフィルタが構成され、受信帯域で高インピーダンスになることで受信信号が送信側入力端子Ｔｘに回り込まないようにし、アンテナ端子ＡＮＴから入力した受信信号を受信側出力端子Ｒｘに出力する。【００２１】
ここで、送信モードから受信モードへの切換え動作を説明する。送信モードのとき、第１ダイオードＤ１及び第２ダイオードＤ２はオン状態である。このとき、第１ダイオードＤ１に蓄積される電荷をＱ１、第２ダイオードＤ２に蓄積される電荷をＱ２とする。この状態で、送信モードから受信モードへ切り換えるために制御電源端子Ｖｃを０Ｖにすると、シリーズ接続されている第１ダイオードＤ１及び第２ダイオードＤ２の間に接地された抵抗ＲＡが接続されているため、オン時に蓄積された電荷Ｑ１，Ｑ２が抵抗ＲＡを介して直ちに放電され、送信モードから受信モードへの切換え時間が速くなる。【００２２】
通常、第１及び第２ダイオードＤ１，Ｄ２は同じ製造ロットのものを組み合わせて使用するが、電荷蓄積量Ｑ１，Ｑ２にばらつきが存在する。特に、第１ダイオードＤ１の電荷蓄積量Ｑ１が大きいと切換え時間が遅くなるが、本第１実施例ではこのような不具合が解消される。【００２３】
また、本第１実施例においては、受信側出力端子Ｒｘとシャント接続されたダイオードＤ２のアノードが制御電源端子Ｖｃに接続されるとともに、コンデンサＣ７を介してグランドに接続されている。従って、制御電源端子Ｖｃがオンされたとき、コンデンサＣ７とダイオードＤ２のオン時のインダクタンス成分とでインピーダンスが０の直列共振点が形成され、送信信号が受信側出力端子Ｒｘへ漏れることが低減される。また、制御電源端子Ｖｃがオフされたとき、コンデンサＣ７とダイオードＤ２のオフ時の容量成分とがシリーズ接続されるので、グランド側への容量成分が小さくなり、受信信号がグランドへ漏れることが低減される。これにて、送信信号及び受信信号の損失が抑えられる。【００２４】
なお、本第１実施例において、高周波スイッチ１１及びＬＣフィルタ１２は、複数の誘電体層を積層してなる積層体ブロックとして一体化されて製造される。なお、高周波スイッチの各構成回路が積層体ブロックとして一体化されて製造される点は、以下に説明する第２〜第４実施例でも同様である。【００２５】
（第２実施例、図２参照）
第２実施例であるデュアルバンド対応型の高周波スイッチ（フロントエンドモジュール）は、図２の等価回路に示すように、二つの異なる通信系であるＧＳＭ系及びＤＣＳ系を備え、アンテナ端子ＡＮＴの後段に、ＧＳＭ系の信号経路とＤＣＳ系の信号経路とを分岐するダイプレクサ２０と、コンデンサＣとを備えている。ＧＳＭ系は第１高周波スイッチ１１Ｇと第１ＬＣフィルタ１２ＧとコンデンサＣ１ｇ，Ｃ２ｇとで構成されている。ＤＣＳ系も、同様に、第２高周波スイッチ１１Ｄと第２ＬＣフィルタ１２ＤとコンデンサＣ１ｄ，Ｃ２ｄとで構成されている。【００２６】
第１高周波スイッチ１１Ｇは、アンテナ端子ＡＮＴと第１送信側入力端子Ｔｘｇとの間の信号経路と、アンテナ端子ＡＮＴと第１受信側出力端子Ｒｘｇとの間の信号経路とを選択的に切り換える。第１ＬＣフィルタ１２Ｇは、第１高周波スイッチ１１Ｇと第１送信側入力端子Ｔｘｇとの間に配置されている。【００２７】
第２高周波スイッチ１１Ｄは、アンテナ端子ＡＮＴと第２送信側入力端子Ｔｘｄとの間の信号経路と、アンテナ端子ＡＮＴと第２受信側出力端子Ｒｘｄとの間の信号経路とを選択的に切り換える。第２ＬＣフィルタ１２Ｄは、第２高周波スイッチ１１Ｄと第２送信側入力端子Ｔｘｄとの間に配置されている。【００２８】
ダイプレクサ２０は、送信の際にはＤＣＳ系あるいはＧＳＭ系からの送信信号を選択し、受信の際にはＤＣＳ系あるいはＧＳＭ系への受信信号を選択する。ダイプレクサ２０は、インダクタＬｔ１，Ｌｔ２及びコンデンサＣｃ１，Ｃｃ２，Ｃｔ１，Ｃｔ２，Ｃｕ１を接続して構成されている。インダクタＬｔ１とコンデンサＣｔ１とからなる並列回路は、ＧＳＭ系の信号経路にシリーズ接続され、この並列回路の第１送信側入力端子Ｔｘｇ側がコンデンサＣｕ１を介して接地されている。また、コンデンサＣｃ１，Ｃｃ２からなる直列回路は、ＤＣＳ系の信号経路にシリーズ接続され、それらの接続点がインダクタＬｔ２及びコンデンサＣｔ２を介して接地されている。【００２９】
第１高周波スイッチ１１Ｇは、スイッチング素子であるダイオードＧＤ１，ＧＤ２、インダクタＧＳＬ１，ＧＳＬ２、コンデンサＧＣ５，ＧＣ６，Ｃ３１及び抵抗ＲＧを接続して構成されている。第１ダイオードＧＤ１は、ＧＳＭ系のアンテナ端子ＡＮＴと第１送信側入力端子Ｔｘｇとの間の信号経路に、アノードがアンテナ端子ＡＮＴ側になるようにシリーズ接続されている。さらに、第１ダイオードＧＤ１のカソードとグランドとの間には、インダクタＧＳＬ１が接続されている。【００３０】
第２ダイオードＧＤ２は、ＧＳＭ系のアンテナ端子ＡＮＴと第１受信側出力端子Ｒｘｇとの間の信号経路にシャント接続され、アノードがコンデンサＧＣ５を介して接地されている。第２ダイオードＧＤ２とコンデンサＧＣ５との接続点に抵抗ＲＧを介して制御電源端子Ｖｃ１が接続される。また、制御電源端子Ｖｃ１と抵抗ＲＧとの接続点がコンデンサＣ３１を介して接地されている。さらに、第２ダイオードＧＤ２のカソードのアンテナ端子ＡＮＴ側の信号経路には、インダクタＧＳＬ２がシリーズ接続されるとともに、第２ダイオードＧＤ２のカソードとグランドとの間にはコンデンサＧＣ６が接続されている。【００３１】
第２高周波スイッチ１１Ｄは、スイッチング素子であるダイオードＤＤ１，ＤＤ２、インダクタＤＳＬ１，ＤＳＬ２，ＤＳＬｔ、コンデンサＤＣ５，ＤＣｔ１，Ｃ３２及び抵抗ＲＤ，ＲＡを接続して構成されている。第３ダイオードＤＤ１は、ＤＣＳ系のアンテナ端子ＡＮＴと第２送信側入力端子Ｔｘｄとの間の信号経路に、アノードがアンテナ端子ＡＮＴ側になるようにシリーズ接続されている。さらに、第３ダイオードＤＤ１のカソードとグランドとの間にはインダクタＤＳＬ１が接続されている。そして、第３ダイオードＤＤ１に対してコンデンサＤＣｔ１とインダクタＤＳＬｔの直列回路がパラレル接続されている。【００３２】
第４ダイオードＤＤ２は、ＤＣＳ系のアンテナ端子ＡＮＴと第２受信側出力端子Ｒｘｄとの間の信号経路にシャント接続され、アノードがコンデンサＤＣ５を介して接地されている。第４ダイオードＤＤ２とコンデンサＤＣ５との接続点に抵抗ＲＤを介して制御電源端子Ｖｃ２が接続されている。また、第４ダイオードＤＤ２のカソードとグランドとの間には抵抗ＲＡが接続されている。制御電源端子Ｖｃ２と抵抗ＲＤとの接続点がコンデンサＣ３２を介して接地されている。さらに、第４ダイオードＤＤ２のカソードのアンテナ端子ＡＮＴ側の信号経路には、インダクタＤＳＬ２がシリーズ接続されている。【００３３】
第１ＬＣフィルタ１２Ｇは、第１高周波スイッチ１１Ｇと第１送信側入力端子Ｔｘｇとの間に配置され、インダクタＧＬｔ１及びコンデンサを含んだローパスフィルタである。このローパスフィルタのコンデンサは、インダクタＧＬｔ１とパラレル接続されたコンデンサＧＣｃ１と、グランドに接続された二つの接地コンデンサ（シャントコンデンサ）ＧＣｕ１，ＧＣｕ２からなっている。【００３４】
第２ＬＣフィルタ１２Ｄは、第２高周波スイッチ１１Ｄと第２送信側入力端子Ｔｘｄとの間に配置され、インダクタＤＬｔ１とコンデンサＤＣｃ１の並列回路及びインダクタＤＬｔ２とコンデンサＤＣｃ２の並列回路をシリーズに接続したものである。インダクタＤＬｔ１の両端はそれぞれコンデンサＤＣｕ１，ＤＣｕ２を介して接地されている。【００３５】
次に、以上の構成からなる高周波スイッチの動作について説明する。まず、ＤＣＳ系（１．８ＭＨｚ帯）の送信信号を送信する場合には、第２高周波スイッチ１１Ｄにおいて制御電源端子Ｖｃ２に、例えば２．５Ｖを印加して第３ダイオードＤＤ１及び第４ダイオードＤＤ２をオン状態にすることにより、第２送信側入力端子Ｔｘｄから入ったＤＣＳ系の送信信号が第２ＬＣフィルタ１２Ｄ、第２高周波スイッチ１１Ｄ及びダイプレクサ２０を通過し、アンテナ端子ＡＮＴから送信される。【００３６】
この際、ＧＳＭ系の第１高周波スイッチ１１Ｇにおいて制御電源端子Ｖｃ１に、例えば０Ｖを印加して第１ダイオードＧＤ１をオフ状態にすることにより、ＧＳＭ系の送信信号が送信されないようにしている。また、ダイプレクサ２０を接続することにより、ＤＣＳ系の送信信号がＧＳＭ系の第１送信側入力端子Ｔｘｇ及び第１受信側出力端子Ｒｘｇに回り込まないようにしている。さらに、ＤＣＳ系の第２ＬＣフィルタ１２ＤではＤＣＳ系の２次高調波及び３次高調波を減衰させている。【００３７】
次いで、ＧＳＭ系（９００ＭＨｚ帯）の送信信号を送信する場合には、第１高周波スイッチ１１Ｇにおいて制御電源端子Ｖｃ１に、例えば２．５Ｖを印加して第１ダイオードＧＤ１及び第２ダイオードＧＤ２をオン状態にすることにより、ＧＳＭ系の送信信号が第１ＬＣフィルタ１２Ｇ、第１高周波スイッチ１１Ｇ及びダイプレクサ２０を通過し、アンテナ端子ＡＮＴから送信される。【００３８】
この際、ＤＣＳ系の第２高周波スイッチ１１Ｄにおいて制御電源端子Ｖｃ２に、例えば０Ｖを印加して第３ダイオードＤＤ１をオフ状態にすることにより、ＤＣＳ系の送信信号が送信されないようにしている。また、ダイプレクサ２０を接続することにより、ＧＳＭ系の送信信号がＤＣＳ系の第２送信側入力端子Ｔｘｄ及び第２受信側出力端子Ｒｘｄに回り込まないようにしている。【００３９】
さらに、ダイプレクサ２０のコンデンサＣｔ１、インダクタＬｔ１及びシャントコンデンサＣｕ１からなるローパスフィルタにてＧＳＭ系の２次高調波を減衰させ、ＧＳＭ系の第１ＬＣフィルタ１２ＧではＧＳＭ系の３次高調波を減衰させている。【００４０】
次いで、ＤＣＳ系及びＧＳＭ系の受信信号を受信する場合には、ＤＣＳ系の第２高周波スイッチ１１Ｄにおいて制御電源端子Ｖｃ２に、例えば０Ｖを印加して第３ダイオードＤＤ１及び第４ダイオードＤＤ２をオフ状態にし、ＧＳＭ系の第１高周波スイッチ１１Ｇにおいて制御電源端子Ｖｃ１に０Ｖを印加して第１ダイオードＧＤ１及び第２ダイオードＧＤ２をオフ状態にすることにより、ＤＣＳ系の受信信号がＤＣＳ系の第２送信側入力端子Ｔｘｄに、ＧＳＭ系の受信信号がＧＳＭ系の第１送信側入力端子Ｔｘｇに、それぞれ回り込まないようにし、アンテナ端子ＡＮＴから入力した信号をそれぞれＤＣＳ系の受信側出力端子Ｒｘｄ、ＧＳＭ系の受信側出力端子Ｒｘｇに出力する。【００４１】
また、ダイプレクサ２０を接続することにより、ＤＣＳ系の受信信号がＧＳＭ系に、ＧＳＭ系の受信信号がＤＣＳ系に、それぞれ回り込まないようにしている。【００４２】
ここで、ＤＣＳ系における送信モードから受信モードへの切換え動作を説明する。送信モードのとき、第３ダイオードＤＤ１及び第４ダイオードＤＤ２はオン状態である。このとき、第３ダイオードＤＤ１に蓄積される電荷をＱ１、第２ダイオードＤＤ２に蓄積される電荷をＱ２とする。この状態で、送信モードから受信モードへ切り換えるために制御電源端子Ｖｃ２を０Ｖにすると、シリーズ接続されている第３ダイオードＤＤ１及び第４ダイオードＤＤ２の間に接地された抵抗ＲＡが接続されているため、オン時に蓄積された電荷Ｑ１，Ｑ２が抵抗ＲＡを介して直ちに放電され、送信モードから受信モードへの切換え時間が速くなる。特に、第３ダイオードＤＤ１の電荷蓄積量Ｑ１が大きいと切換え時間が遅くなるが、本第２実施例では前記第１実施例と同様にこのような不具合が解消される。【００４３】
なお、ＧＳＭ系においても、送信モードから受信モードの切換えは前記ＤＣＳ系と同様に行われる。なお、ＧＳＭ系においても、第１及び第２ダイオードＧＤ１，ＧＤ２の間にシャント接続された抵抗を介在させれば、前記同様に送信モードから受信モードへの切換え時間を速くすることができる。【００４４】
また、本第２実施例においては、制御電源端子Ｖｃ１，Ｖｃ２とダイオードＧＤ２，ＤＤ２のアノードとの間がコンデンサＣ３１，Ｃ３２を介してグランドに接続されている。これにて、制御電源端子Ｖｃ１，Ｖｃ２がオンされたとき、コンデンサＣ３１，Ｃ３２とダイオードＧＤ２，ＤＤ２のオン時のインダクタンス成分とでインピーダンスが０の直列共振点が形成され、送信信号が受信側出力端子Ｒｘｇ，Ｒｘｄへ漏れることが低減される。また、制御電源端子Ｖｃ１，Ｖｃ２がオフされたとき、コンデンサＣ３１，Ｃ３２とダイオードＧＤ２，ＤＤ２のオフ時の容量成分とがシリーズ接続されるので、グランド側への容量成分が小さくなり、受信信号がグランドへ漏れることが低減される。これにて、送信信号及び受信信号の損失が抑えられる。【００４５】
（第３実施例、図３参照）
第３実施例であるトリプルバンド対応型の高周波スイッチは、図３の等価回路に示すように、三つの異なる通信系であるＧＳＭ系、ＤＣＳ系及びＰＣＳ系を備えている。【００４６】
ＧＳＭ系は第１高周波スイッチ１１Ｇと第１ＬＣフィルタ１２ＧとコンデンサＣ１ｇ，Ｃ２ｇ，ＧＣｕ３とで構成されている。このＧＳＭ系の構成及び作用は前記第２実施例と基本的には同様であり、重複した説明は省略する。また、第２ダイオードＧＤ２のカソードとグランドとの間には抵抗ＲＡ１が接続されている。【００４７】
ダイプレクサ２０に関しても前記第２実施例と基本的には同様の構成及び作用であり、重複した説明は省略する。【００４８】
ＤＣＳ／ＰＣＳ系は、第２高周波スイッチ１１Ｄ１と第２ＬＣフィルタ１２Ｄとデュプレクサ１４ＤとコンデンサＣ１ｄ，Ｃ２ｄ，Ｃ３ｄとで構成されている。第２高周波スイッチ１１Ｄ１と第２ＬＣフィルタ１２Ｄの回路構成は基本的には前記第２実施例と同様であり、第２ＬＣフィルタ１２Ｄに関して重複した説明は省略する。【００４９】
第２高周波スイッチ１１Ｄ１の後段にはデュプレクサ１４Ｄが接続されており、このデュプレクサ１４Ｄは、ＰＣＳ系の受信信号経路とＤＣＳ系の受信信号経路とに分岐するためのものである。【００５０】
第２高周波スイッチ１１Ｄ１は、アンテナ端子ＡＮＴと第２送信側入力端子Ｔｘｄとの間のＤＣＳ系及びＰＣＳ系共通の送信信号経路と、アンテナ端子ＡＮＴと第２・第３受信側出力端子Ｒｘｄ１，Ｒｘｄ２との間のＤＣＳ系受信信号経路・ＰＣＳ系受信信号経路とを選択的に切り換える。【００５１】
第２高周波スイッチ１１Ｄ１は、スイッチング素子であるダイオードＤＤ１，ＤＤ２、インダクタＤＰＳＬ１，ＤＳＬ２，ＤＰＳＬｔ、コンデンサＤＣ５，ＤＣ６，ＤＰＣｔ，Ｃ３３及び抵抗ＤＲ１，ＲＡ２を接続して構成されている。第３ダイオードＤＤ１は、アンテナ端子ＡＮＴと第２送信側入力端子Ｔｘｄとの間のＤＣＳ系及びＰＣＳ系共通の送信信号経路に、アノードがアンテナ端子ＡＮＴ側になるようにシリーズ接続されている。さらに、第３ダイオードＤＤ１のカソードとグランドとの間には、インダクタＤＰＳＬ１が接続されている。そして、第３ダイオードＤＤ１に対してコンデンサＤＰＣｔとインダクタＤＰＳＬｔの直列回路がパラレル接続されている。【００５２】
第４ダイオードＤＤ２は、アンテナ端子ＡＮＴとデュプレクサ１４Ｄとの間のＤＣＳ系及びＰＣＳ系共通の受信信号経路にシャント接続され、アノードがコンデンサＤＣ５を介して接地されている。第４ダイオードＤＤ２とコンデンサＤＣ５との接続点に抵抗ＤＲ１を介して制御電源端子Ｖｃ３が接続されている。また、第４ダイオードＤＤ２のカソードとグランドとの間には抵抗ＲＡ２が接続されている。制御電源端子Ｖｃ３と抵抗ＤＲ１との接続点がコンデンサＣ３３を介して接地されている。さらに、第４ダイオードＤＤ２のカソードのアンテナ端子ＡＮＴ側の信号経路には、インダクタＤＳＬ２がシリーズ接続されている。【００５３】
デュプレクサ１４Ｄは、スイッチング素子であるダイオードＰＤ１，ＰＤ２、インダクタＰＳＬ１，ＰＳＬ２、コンデンサＰＣ５，Ｃ３２及び抵抗ＰＲ１を接続して構成されている。ダイオードＰＤ１は、第２高周波スイッチ１１Ｄ１と第３受信側出力端子Ｒｘｄ２との間のＰＣＳ系の送信信号経路に、アノードが第２高周波スイッチ１１Ｄ１側になるようにシリーズ接続されている。さらに、ダイオードＰＤ１のカソードとグランドとの間にはインダクタＰＳＬ１が接続されている。ダイオードＰＤ２は、第２高周波スイッチ１１Ｄ１と第２受信側出力端子Ｒｘｄ１との間のＤＣＳ系の受信信号経路にシャント接続され、アノードがコンデンサＰＣ５を介して接地されている。ダイオードＰＤ２とコンデンサＰＣ５との接続点に抵抗ＰＲ１を介して制御電源端子Ｖｃ２が接続されている。制御電源端子Ｖｃ２と抵抗ＰＲ１との接続点がコンデンサＣ３２を介して接地されている。さらに、ダイオードＰＤ２のカソードの第２高周波スイッチ１１Ｄ１側の信号経路には、インダクタＰＳＬ２がシリーズ接続されている。【００５４】
次に、以上の構成からなる高周波スイッチの動作について説明する。まず、ＤＣＳ／ＰＣＳ系の送信信号を送信する場合には、制御電源端子Ｖｃ３に例えば２．５Ｖを印加するとともに制御電源端子Ｖｃ１，Ｖｃ２に例えば０Ｖを印加して、ダイオードＤＤ１，ＤＤ２をオン状態、ダイオードＧＤ１，ＧＤ２，ＰＤ１，ＰＤ２をオフ状態にすることにより、第２送信側入力端子Ｔｘｄから入ったＤＣＳ／ＰＣＳ系の送信信号が第２ＬＣフィルタ１２Ｄ、第２高周波スイッチ１１Ｄ１及びダイプレクサ２０を通過し、アンテナ端子ＡＮＴから送信される。【００５５】
ＧＳＭ系の送信信号を送信する場合には、制御電源端子Ｖｃ１に例えば２．５Ｖを印加するとともに制御電源端子Ｖｃ２，Ｖｃ３に例えば０Ｖを印加して、ダイオードＧＤ１，ＧＤ２をオン状態、ダイオードＤＤ１，ＤＤ２，ＰＤ１，ＰＤ２をオフ状態にすることにより、第１送信側入力端子Ｔｘｇから入ったＧＳＭ系の送信信号が第１ＬＣフィルタ１２Ｇ、第１高周波スイッチ１１Ｇ及びダイプレクサ２０を通過し、アンテナ端子ＡＮＴから送信される。【００５６】
次いで、ＤＣＳ系の受信信号を受信する場合には、制御電源端子Ｖｃ１，Ｖｃ２，Ｖｃ３の全てに例えば０Ｖを印加して、ダイオードＧＤ１，ＧＤ２，ＤＤ１，ＤＤ２，ＰＤ１，ＰＤ２をオフ状態にすることにより、アンテナ端子ＡＮＴから入力した信号をＤＣＳ系の受信側出力端子Ｒｘｄ１に出力する。【００５７】
ＰＣＳ系の受信信号を受信する場合には、制御電源端子Ｖｃ２に例えば２．５Ｖを印加するとともに制御電源端子Ｖｃ１，Ｖｃ３に例えば０Ｖを印加して、ダイオードＰＤ１，ＰＤ２をオン状態、ダイオードＧＤ１，ＧＤ２，ＤＤ１，ＤＤ２をオフ状態にすることにより、アンテナ端子ＡＮＴから入力した信号をＰＣＳ系の受信側出力端子Ｒｘｄ２に出力する。【００５８】
ＧＳＭ系の受信信号を受信する場合には、制御電源端子Ｖｃ１，Ｖｃ２，Ｖｃ３の全てに例えば０Ｖを印加して、ダイオードＧＤ１，ＧＤ２，ＤＤ１，ＤＤ２，ＰＤ１，ＰＤ２をオフ状態にすることにより、アンテナ端子ＡＮＴから入力した信号をＧＳＭ系の受信側出力端子Ｒｘｇに出力する。【００５９】
また、ダイプレクサ２０を接続することにより、ＤＣＳ／ＰＣＳ系の受信信号がＧＳＭ系に、ＧＳＭ系の受信信号がＤＣＳ／ＰＣＳ系に、それぞれ回り込まないようにしている。【００６０】
ここで、ＧＳＭ系、ＤＣＳ／ＰＣＳ系における送信モードから受信モードへの切換え動作は、それぞれ、ダイオードＧＤ１，ＧＤ２及びダイオードＤＤ１，ＤＤ２の間に接地された抵抗ＲＡ１，ＲＡ２がそれぞれ接続されているため、前記第１及び第２実施例で説明したように、送信モードから受信モードへの切換え時間が速くなる。また、制御電源端子Ｖｃ１，Ｖｃ２，Ｖｃ３とダイオードＧＤ２，ＰＤ２，ＤＤ２との間がコンデンサＣ３１，Ｃ３２，Ｃ３３を介してグランドに接続されているため、前記第１及び第２実施例で説明したように、送信信号及び受信信号の損失が抑えられる。【００６１】
（第４実施例、図４参照）
第４実施例であるクワッドバンド対応型の高周波スイッチは、図４の等価回路に示すように、ＧＳＭ系が二つに分かれて都合四つの異なる通信系であるＧＳＭ８５０系、ＧＳＭ９００系、ＰＣＳ系及びＤＣＳ系を備えている。【００６２】
ダイプレクサ２０ｑは、送信の際にはＤＣＳ／ＰＣＳ系及びＧＳＭ系からの送信信号を選択し、受信の際にはＤＣＳ／ＰＣＳ系あるいはＧＳＭ系への受信信号を選択する。ダイプレクサ２０ｑは、インダクタＬｔ１，Ｌｔ２，ＤＬｔ１及びコンデンサＣｃ１，Ｃｃ２，Ｃｔ１，Ｃｔ２，Ｃｕ１，ＤＣｃ１，ＤＣｕ１を接続して構成されている。インダクタＬｔ１とコンデンサＣｔ１とからなる並列回路は、ＧＳＭ系の信号経路にシリーズ接続され、この並列回路の第１送信側入力端子Ｔｘｇ側がコンデンサＣｕ１を介して接地されている。また、インダクタＤＬｔ１とコンデンサＤＣｃ１とからなる並列回路は、ＤＣＳ／ＰＣＳ系の信号経路にシリーズ接続され、この並列回路のアンテナＡＮＴ側がコンデンサＤＣｕ１を介して接地されている。さらに、コンデンサＣｃ１，Ｃｃ２からなる直列回路が、このＤＣＳ／ＰＣＳ系の信号経路にシリーズ接続され、それらの接続点がインダクタＬｔ２及びコンデンサＣｔ２を介して接地されている。ここで、ＤＣＳ／ＰＣＳ系に追加されているローパスフィルタは送信側入力端子Ｔｘｄに接続されている第２ＬＣフィルタ１２Ｄ２を補うためのものである。【００６３】
第１高周波スイッチ１１Ｇ２は、スイッチング素子であるダイオードＧＤ１，ＧＤ２，ＧＤ３、インダクタＧＳＬ１，ＧＳＬ２，ＡＳＬ１、コンデンサＧＣ４，ＧＣ５，ＡＣ４及び抵抗ＲＧ，ＲＢを接続して構成されている。第１ダイオードＧＤ１は、ＧＳＭ系のアンテナ端子ＡＮＴと第１送信側入力端子Ｔｘｇとの間の信号経路に、カソードがアンテナ端子ＡＮＴ側になるようにシリーズ接続されている。さらに、第１ダイオードＧＤ１のアノードとグランドとの間には、コンデンサＧＣ４をグランド側にしてインダクタＧＳＬ１とコンデンサＧＣ４がシリーズ接続されている。そして、インダクタＧＳＬ１とコンデンサＧＣ４との接続点には制御電源端子Ｖｃ１が接続されている。【００６４】
第２ダイオードＧＤ２は、ＧＳＭ系のアンテナ端子ＡＮＴと受信側出力端子Ｒｘｇ１との間の信号経路に、カソードがアンテナ端子ＡＮＴ側になるようにシリーズ接続されている。さらに、第２ダイオードＧＤ２のアノードとグランドとの間には、コンデンサＡＣ４をグランド側にしてインダクタＡＳＬ１とコンデンサＡＣ４がシリーズ接続されている。インダクタＡＳＬ１とコンデンサＡＣ４との接続点には制御電源端子Ｖｃ２が接続されている。また、インダクタＡＳＬ１にはコンデンサＡＣ５がパラレル接続されている。さらに、第２ダイオードＧＤ２のアノードとグランドとの間にはコンデンサＡＣ６が接続されている。【００６５】
第３ダイオードＧＤ３は、ＧＳＭ系のアンテナ端子ＡＮＴと受信側出力端子Ｒｘｇ２との間の信号経路にシャント接続され、カソードがコンデンサＧＣ５を介して接地されている。第３ダイオードＧＤ３とコンデンサＧＣ５との接続点に抵抗ＲＧの一端が接続され、該抵抗ＲＧの他端がグランドに接続されている。さらに、第３ダイオードＧＤ３のアノードのアンテナ端子ＡＮＴ側の信号経路には、インダクタＧＳＬ２がシリーズ接続されているとともに、第３ダイオードＧＤ３のアノードとグランドとの間にはコンデンサＧＣ６が接続されている。また、第３ダイオードＧＤ３のアノードに抵抗ＲＢの一端が接続され、該抵抗ＲＢの他端は接地されている。【００６６】
第１ＬＣフィルタ１２Ｇは、第１高周波スイッチ１１Ｇ２と第１送信側入力端子Ｔｘｇとの間に配置され、インダクタＧＬｔ１及びコンデンサを含んだローパスフィルタである。このローパスフィルタのコンデンサは、インダクタＧＬｔ１とパラレル接続されたコンデンサＧＣｃ１と、グランドに接続された二つの接地コンデンサ（シャントコンデンサ）ＧＣｕ１，ＧＣｕ２からなっている。【００６７】
第２高周波スイッチ１１Ｄ２は、スイッチング素子であるダイオードＤＤ１，ＤＤ２，ＤＤ３、インダクタＤＰＳＬ１，ＰＳＬ１，ＤＰＳＬｔ，ＰＳＬｔ、コンデンサＤＣ５，ＤＰＣ４，ＰＣ４，ＰＣ５，ＰＣｔ１，ＤＰＣｔ１及び抵抗ＲＤ，ＲＡを接続して構成されている。第４ダイオードＤＤ１は、ＤＣＳ／ＰＣＳ系のアンテナ端子ＡＮＴと第２送信側入力端子Ｔｘｄとの間の信号経路に、カソードがアンテナ端子ＡＮＴ側になるようにシリーズ接続されている。さらに、第４ダイオードＤＤ１のアノードとグランドとの間にはコンデンサＤＰＣ４をグランド側にしてインダクタＤＰＳＬ１とコンデンサＤＰＣ４がシリーズ接続されている。そして、インダクタＤＰＳＬ１とコンデンサＤＰＣ４との接続点には制御電源端子Ｖｃ３が接続されている。また、第４ダイオードＤＤ１に対してコンデンサＤＰＣｔ１とインダクタＤＰＳＬｔの直列回路がパラレル接続されている。【００６８】
第５ダイオードＤＤ２は、ＤＣＳ／ＰＣＳ系のアンテナ端子ＡＮＴと受信側出力端子Ｒｘｄ１との間の信号経路に、カソードがアンテナ端子ＡＮＴ側になるようにシリーズ接続されている。さらに、第５ダイオードＤＤ２のアノードとグランドとの間には、コンデンサＰＣ４をグランド側にしてインダクタＰＳＬ１とコンデンサＰＣ４がシリーズ接続されている。インダクタＰＳＬ１とコンデンサＰＣ４との接続点には制御電源端子Ｖｃ４が接続されている。第５ダイオードＤＤ２のアノードとグランドとの間にはコンデンサＰＣ５が接続されている。さらに、第５ダイオードＤＤ２に対してコンデンサＰＣｔ１とインダクタＰＳＬｔの直列回路がパラレル接続されている。【００６９】
第６ダイオードＤＤ３は、ＤＣＳ／ＰＣＳ系のアンテナ端子ＡＮＴと受信側出力端子Ｒｘｄ２との間の信号経路にシャント接続され、カソードがコンデンサＤＣ５を介して接地されている。第６ダイオードＤＤ３とコンデンサＤＣ５との接続点に抵抗ＲＤの一端が接続され、該抵抗ＲＤの他端がグランドに接続されている。さらに、第６ダイオードＤＤ３のアノードのアンテナ端子ＡＮＴ側の信号経路には、インダクタＤＳＬ２がシリーズ接続されているとともに、第６ダイオードＤＤ３のアノードとグランドとの間にはコンデンサＤＣ６が接続されている。また、第６ダイオードＤＤ３のアノードに抵抗ＲＡの一端が接続され、該抵抗ＲＡの他端は接地されている。【００７０】
第２ＬＣフィルタ１２Ｄ２は、第２高周波スイッチ１１Ｄ２と第２送信側入力端子Ｔｘｄとの間に配置され、インダクタＤＬｔ２とコンデンサＤＣｃ２の並列回路からなり、インダクタＤＬｔ２の両端はそれぞれコンデンサＤＣｕ２，ＤＣｕ３を介して接地されている。【００７１】
次に、以上の構成からなる高周波スイッチの動作について説明する。まず、ＤＣＳ／ＰＣＳ系の送信信号を送信する場合には、第２高周波スイッチ１１Ｄ２において制御電源端子Ｖｃ３に、例えば２．５Ｖを印加して第４ダイオードＤＤ１及び第６ダイオードＤＤ３をオン状態にすることにより、第２送信側入力端子Ｔｘｄから入ったＤＣＳ／ＰＣＳ系の送信信号が第２ＬＣフィルタ１２Ｄ２、第２高周波スイッチ１１Ｄ２及びダイプレクサ２０ｑを通過し、アンテナ端子ＡＮＴから送信される。【００７２】
この際、ＧＳＭ系の第１高周波スイッチ１１Ｇ２において制御電源端子Ｖｃ１に、例えば０Ｖを印加して第１ダイオードＧＤ１をオフ状態にすることにより、ＧＳＭ系の送信信号が送信されないようにしている。また、ダイプレクサ２０ｑを接続することにより、ＤＣＳ／ＰＣＳ系の送信信号がＧＳＭ系の第１送信側入力端子Ｔｘｇ及び第１受信側出力端子Ｒｘｇ１，Ｒｘｇ２に回り込まないようにしている。さらに、ＤＣＳ／ＰＣＳ系の第２ＬＣフィルタ１２Ｄ２及びダイプレクサ２０ｑのフィルタ回路ではＤＣＳ／ＰＣＳ系の２次高調波及び３次高調波を減衰させている。【００７３】
次いで、ＧＳＭ系（８５０／９００ＭＨｚ帯）の送信信号を送信する場合には、第１高周波スイッチ１１Ｇ２において制御電源端子Ｖｃ１に、例えば２．５Ｖを印加して第１ダイオードＧＤ１及び第３ダイオードＧＤ３をオン状態にすることにより、ＧＳＭ８５０／９００系の送信信号が第１ＬＣフィルタ１２Ｇ、第１高周波スイッチ１１Ｇ２及びダイプレクサ２０ｑを通過し、アンテナ端子ＡＮＴから送信される。このとき、第２ダイオードＧＤ２はオフ状態になり、ダイオードＧＤ２のアイソレーションにより受信側出力端子Ｒｘｇ１には送信信号が漏れることはない。【００７４】
また、第３ダイオードＧＤ３がオン時のインダクタンス成分とコンデンサＧＣ５とが直列共振をしてインピーダンスがほぼ０となり、インダクタＧＳＬ２がグランドに短絡した状態になる。これにて、インダクタＧＳＬ２で位相を回転させてＧＳＭ系送信側入力端子Ｔｘｇからみたインピーダンスをオープン状態に近づけることで、受信側出力端子Ｒｘｇ２に送信信号が漏れることはない。なお、この状態で他の制御電源端子Ｖｃ２，Ｖｃ３，Ｖｃ４は０Ｖに設定されている。【００７５】
次いで、ＧＳＭ８５０系の受信信号を受信する場合には、第１高周波スイッチ１１Ｇ２において制御電源端子Ｖｃ２に、例えば２．５Ｖを印加して第２ダイオードＧＤ２及び第３ダイオードＧＤ３をオン状態にすることにより、アンテナ端子ＡＮＴから入力した信号を受信側出力端子Ｒｘｇ１に出力する。このとき、第１ダイオードＧＤ１はオフ状態になり、ダイオードＧＤ１のアイソレーションにより送信側入力端子Ｔｘｇに受信信号が漏れることはない。【００７６】
また、第３ダイオードＧＤ３がオン時のインダクタンス成分とコンデンサＧＣ５とが直列共振をしてインピーダンスがほぼ０となり、インダクタＧＳＬ２がグランドに短絡した状態になる。これにて、インダクタＧＳＬ２で位相を回転させて受信側出力端子Ｒｘｇ２からみたインピーダンスをオープン状態に近づけることで、受信側出力端子Ｒｘｇ２に受信信号が漏れることはない。なお、この状態で他の制御電源端子Ｖｃ２，Ｖｃ３，Ｖｃ４は０Ｖに設定されている。【００７７】
次いで、ＧＳＭ９００系の受信信号を受信する場合には、第１高周波スイッチ１１Ｇ２において制御電源端子Ｖｃ１，Ｖｃ２に、例えば０Ｖを印加して第１ダイオードＧＤ１、第２ダイオードＧＤ２及び第３ダイオードＧＤ３をオフ状態にすると、アンテナ端子ＡＮＴから入力した信号が受信側出力端子Ｒｘｇ２に出力する。このとき、第１ダイオードＧＤ１のアイソレーションにより送信側入力端子Ｔｘｇに受信信号が漏れることはない。また、第２ダイオードＧＤ２のアイソレーションにより受信側出力端子Ｒｘｇ１に受信信号が漏れることはない。【００７８】
ここで、ＧＳＭ系における送信モードから受信モードへの切換え動作を説明する。送信モードのとき、第１ダイオードＧＤ１及び第３ダイオードＧＤ３はオン状態である。このとき、第１ダイオードＧＤ１に蓄積される電荷をＱ１、第３ダイオードＧＤ３に蓄積される電荷をＱ３とする。この状態で、送信モードから受信側出力端子Ｒｘｇ２で受信する受信モードへ切り換えるために制御電源端子Ｖｃ１を０Ｖにし、ダイオードＧＤ１，ＧＤ３に蓄積された電荷を放電させ、ダイオードＧＤ１，ＧＤ３をオフ状態にする必要がある。このとき、シリーズに接続された第１ダイオードＧＤ１及び第３ダイオードＧＤ３の中間点とグランドとの間に抵抗ＲＢが接続されているため、ダイオードＧＤ１，ＧＤ３に蓄積されていた電荷を直ちに放電させることができる。従って、送信モードからＧＳＭ９００系の受信モードへの切換え時間が速くなる。特に、第１ダイオードＧＤ１の電荷蓄積量Ｑ１が大きいと切換え時間が遅くなるが、本第４実施例では前記第１〜第３実施例と同様にこのような不具合が解消される。【００７９】
次いで、ＰＣＳ系の受信信号を受信する場合には、第２高周波スイッチ１１Ｄ２において制御電源端子Ｖｃ４に、例えば２．５Ｖを印加して第５ダイオードＤＤ２及び第６ダイオードＤＤ３をオン状態にすることにより、アンテナ端子ＡＮＴから入力した信号を受信側出力端子Ｒｘｄ１に出力する。このとき、第４ダイオードＤＤ１はオフ状態になり、ダイオードＤＤ１のアイソレーションにより送信側入力端子Ｔｘｄには受信信号が漏れることはない。【００８０】
また、第６ダイオードＤＤ３がオン時のインダクタンス成分とコンデンサＤＣ５とが直列共振をしてインピーダンスがほぼ０となり、インダクタＤＳＬ２がグランドに短絡した状態になる。これにて、インダクタＤＳＬ２で位相を回転させて受信側出力端子Ｒｘｄ２からみたインピーダンスをオープン状態に近づけることで、受信側出力端子Ｒｘｄ２に受信信号が漏れることはない。なお、この状態で他の制御電源端子Ｖｃ１，Ｖｃ２，Ｖｃ３は０Ｖに設定されている。【００８１】
次いで、ＤＣＳ系の受信信号を受信する場合には、第２高周波スイッチ１１Ｄ２において制御電源端子Ｖｃ３，Ｖｃ４に、例えば０Ｖを印加して第４ダイオードＤＤ１、第５ダイオードＤＤ２及び第６ダイオードＤＤ３をオフ状態にすると、アンテナ端子ＡＮＴから入力した信号が受信側出力端子Ｒｘｄ２に出力する。このとき、第４ダイオードＤＤ１のアイソレーションにより送信側入力端子Ｔｘｄに受信信号が漏れることはない。また、第５ダイオードＤＤ２のアイソレーションにより受信側出力端子Ｒｘｄ１に受信信号が漏れることはない。【００８２】
ここで、ＤＣＳ／ＰＣＳ系における送信モードから受信モードへの切換え動作を説明する。送信モードのとき、第４ダイオードＤＤ１及び第６ダイオードＤＤ３はオン状態である。このとき、第４ダイオードＤＤ１に蓄積される電荷をＱ１、第６ダイオードＤＤ３に蓄積される電荷をＱ３とする。この状態で、送信モードから受信側出力端子Ｒｘｄ２で受信する受信モードへ切り換えるために制御電源端子Ｖｃ１を０Ｖにし、ダイオードＤＤ１，ＤＤ３に蓄積された電荷を放電させ、ダイオードＤＤ１，ＤＤ３をオフ状態にする必要がある。このとき、シリーズに接続された第４ダイオードＤＤ１及び第６ダイオードＤＤ３の中間点とグランドとの間に抵抗ＲＡが接続されているため、ダイオードＤＤ１，ＤＤ３に蓄積されていた電荷を直ちに放電させることができる。従って、送信モードからＰＣＳ系の受信モードへの切換え時間が速くなる。特に、第４ダイオードＤＤ１の電荷蓄積量Ｑ１が大きいと切換え時間が遅くなるが、本第４実施例では前記第１〜第３実施例と同様にこのような不具合が解消される。【００８３】
また、第２高周波スイッチ１１Ｄ２では、ダイオードＤＤ１，ＤＤ２にＬＣ直列共振回路がそれぞれパラレル接続されているので、ダイオードＤＤ１，ＤＤ２のオン状態のとき、通過させる送信周波数帯又は受信周波数帯に、ダイオードＤＤ１，ＤＤ２がオフになったときにその容量成分により反共振点が生じる。これにて、ダイオードＤＤ１，ＤＤ２がオフ状態のアイソレーションよりもさらに良好なアイソレーションを得ることができる。【００８４】
（他の実施例）
なお、本発明に係る高周波スイッチは前記実施例に限定するものではなく、その要旨の範囲内で種々に変更できることは勿論である。
【産業上の利用可能性】
【００８５】
以上のように、本発明は、複数の異なる移動体通信システムに利用可能な高周波スイッチに有用であり、特に、送信モードから受信モードへの切換え時間が速い点で優れている。
【図１】
2007023731.tif 000002
【図２】
2007023731.tif 000003
【図３】
2007023731.tif 000004
【図４】
2007023731.tif 000005
【図５】
2007023731.tif 000006
【国際調査報告】
2007023731.tif 000007
2007023731.tif 000008